(57)【要約】      （修正有）【課題】低転送速度モードにおける感度が高いＦＳＫ変調信号受信機を提供する。【解決手段】ＦＳＫ変調信号のための受信機は、アンテナと、低雑音増幅器と、水晶共振器を含んでいて高周波同相信号ＳIおよび高周波直角位相信号ＳQを供給する局部発振器６と、高周波同相信号および直角位相信号と、フィルタリングされ且つ増幅された入力信号とを混合して、中間信号Ｉm、Ｑmを生成する第１および第２のミキサ４、５と、中間信号をフィルタリングするフィルタリング・ユニット１２とを備えている。フィルタリング・ユニットは、多相フィルタ１３においてフィルタリングされた中間信号ＩF、ＱFを中間若しくは高転送速度モードで第１の復調段に供給し、または２つの低域通過フィルタ１４、１５に転換された多相フィルタにおいてフィルタリングされた中間ベースバンド信号を低転送速度モードで第２の復調段に供給する。【選択図】図１
2010246123.tif 000002
【特許請求の範囲】
【請求項１】
ＦＳＫ変調信号のための受信機（１）であって、低電力の前記受信機が、
変調データ若しくは制御の信号を受信するアンテナ（２）と、
前記アンテナによってピック・アップされた前記信号を増幅し且つフィルタリングするための少なくとも１つの低雑音増幅器（３）と、
水晶共振器を含む局部発振器（６）であって、高周波信号（ＳI、ＳQ）を供給する電圧制御発振器（１１）を、位相および周波数ロックループ中に備える局部発振器（６）と、
フィルタリングされ且つ増幅されて入力される信号と、前記電圧制御発振器によって供給される前記高周波信号とを混合して、中間信号（Ｉm、Ｑm）を生成する少なくとも１つのミキサ・ユニット（４、５）であって、前記中間信号（Ｉm、Ｑm）の周波数が前記高周波信号の周波数と前記入力される信号の搬送周波数との差に等しい少なくとも１つのミキサ・ユニット（４、５）と、
少なくとも１つのデータまたは制御復調段のための、前記中間信号をフィルタリングするフィルタリング・ユニット（１２）と
を備える受信機（１）において、
変調データ若しくは制御の信号を中間若しくは高転送速度で受信するように、または、変調データ若しくは制御の信号を低転送速度で受信するように、構成でき、そして、前記フィルタリング・ユニットが、多相フィルタ（１３）においてフィルタリングされた中間信号（ＩF、ＱF）を、中間若しくは高転送速度モードで第１の復調段に供給し、または、少なくとも１つの低域通過フィルタ（１４、１５）に転換される前記多相フィルタにおいてフィルタリングされた中間ベースバンド信号を、低転送速度モードで第２の復調段に供給する
ことを特徴とする受信機。
【請求項２】
前記局部発振器（６）の前記電圧制御発振器（１１）が、前記フィルタリングされ且つ増幅された信号との混合により中間同相信号（Ｉm）を得るために、高周波同相信号（ＳI）を前記ミキサ・ユニットの第１のミキサ（４）に供給し、前記フィルタリングされ且つ増幅された信号との混合により中間直角位相信号（Ｑm）を得るために、高周波直角位相信号（ＳQ）を前記ミキサ・ユニットの第２のミキサ（５）に供給し、
中間若しくは高転送速度モードでは、フィルタリングされた中間同相信号および直角位相信号（ＩF、ＱF）を前記第１の復調段に供給するために、前記フィルタリング・ユニットの前記多相フィルタ（１３）が、結合された２つの低域通過フィルタ（１４、１５）を備え、
低転送速度モードでは、前記フィルタリング・ユニットの前記多相フィルタ（１３）の前記２つの低域通過フィルタがそれらの結合を解除され、それにより第１の低域通過フィルタ（１４）がフィルタリングされた中間ベースバンド同相信号（ＩF）を前記第２の復調段に供給し、それにより第２の低域通過フィルタ（１５）がフィルタリングされた中間ベースバンド直角位相信号（ＱF）を前記第２の復調段に供給する
ことを特徴とする請求項１に記載の受信機。
【請求項３】
水晶共振器を備える前記局部発振器（６）の前記電圧制御発振器（１１）が、中間若しくは高転送速度モードでは、前記フィルタリングされ且つ増幅された信号の搬送周波数より低い、あるいは高い第１の周波数の高周波同相信号および直角位相信号（ＳI、ＳQ）を供給するように構成され、それにより前記中間同相信号および直角位相信号（ＩF、ＱF）が、前記高周波信号の周波数と前記搬送周波数の差に対応する中間周波数を維持し、
低転送速度モードでは、前記電圧制御発振器（１１）が、中間ベースバンド同相信号および直角位相信号を供給するために、前記フィルタリングされ且つ増幅された信号の前記搬送周波数と全く同じ第２の周波数の高周波同相信号および直角位相信号（ＳI、ＳQ）を供給するように構成される
ことを特徴とする請求項１または２に記載の受信機。
【請求項４】
低転送速度モードでは、前記第２の復調段が、前記フィルタリングされた中間ベースバンド同相信号（ＩF）をフィルタリングするための第１の帯域通過フィルタ（２４）、および前記フィルタリングされた中間ベースバンド直角位相信号（ＱF）をフィルタリングするための第２の帯域通過フィルタ（２５）を備え、個々の帯域通過フィルタの中心が、前記中間信号のベースバンドへの周波数変換後の前記データまたは制御変調周波数に置かれていることを特徴とする請求項２又は３に記載の受信機（１）。
【請求項５】
個々の帯域通過フィルタ（２４、２５）が、それぞれ正および負の変調周波数偏移にその中心が置かれた狭帯域を有することを特徴とする請求項４に記載の受信機。
【請求項６】
低転送速度の前記第２の復調段がＤフリップ−フロップ（２６）をさらに備え、前記２つの帯域通過フィルタ（２４、２５）によってフィルタリングされた前記中間ベースバンド信号のうちの１つが前記フリップ−フロップのＤ入力に供給され、一方、他の中間ベースバンド信号が前記フリップ−フロップのクロック入力（ＣＬＫ）に供給されることを特徴とする請求項４又は５に記載の受信機。
【請求項７】
低転送速度の前記第２の復調段が、前記Ｄフリップ−フロップ（２６）によって供給される前記データ若しくは制御の信号をフィルタリングするための他の低域通過フィルタ（２７）、および前記他の低域通過フィルタの出力に接続されたデータ抽出器（２８）をさらに備えることを特徴とする請求項６に記載の受信機。
【発明の詳細な説明】
【技術分野】
【０００１】
本発明は、低転送速度モードにおける感度が高い、ＦＳＫ変調信号のための受信機に関する。
【背景技術】
【０００２】
通常、送信機または受信機では、データ若しくはコマンドの短距離送信または短距離受信のためにＦＳＫ（周波数偏移変調）変調が使用される。ＲＦ搬送周波数が高い場合、例えば３００ＭＨｚより高い場合、中間周波数には１００ｋＨｚ以上の極めて大きい帯域幅が選択される。変調信号中の変調周波数偏移は、この帯域幅に応じて適合させ得る。このような場合、極めて不正確で、したがって安価な局部発振器によって供給される基準周波数を使用することができる。しかしながら、選択される帯域幅に比例する熱雑音電力を考慮しなければならない。したがって広帯域送信または受信システムは、通常、優れた感度を有していない。
【０００３】
仏国特許第２７１１２９３号に、帯域幅を適合させることができる無線周波数信号受信機が開示されている。このスーパヘテロダイン・タイプの受信機は、広帯域周波数変調信号および狭帯域信号の両方を復調することができる。帯域幅を動的に変化させることができ、ひずみの減衰と雑音の減衰との間の最良の妥協を得ることができる。最初の周波数変換の後、第１の帯域幅（広帯域）を有する中間信号がフィルタによってフィルタリングされる。次に、狭帯域用に、フィルタの第２の帯域幅および第３の帯域幅を使用して、この中間信号に対してもう１つのフィルタリング操作が実行される。最後に弁別器によって復調される。
【０００４】
しかしながら、データ入力信号の変調データ転送速度に応じて受信機内を特定の受信構成とすることは、実行されていない。したがって、動的に帯域幅を変化させると、入力信号に対するひずみの減衰と雑音の減衰との間の良好な妥協を提供することになる。また、この特許文書の受信機の構造は比較的複雑であり、サイズが小さい携帯型対象の中に取り付けるためにはその電力消費を十分に少なくすることができないことを意味している。
【先行技術文献】
【特許文献】
【０００５】
【特許文献１】仏国特許第２７１１２９３号
【発明の概要】
【発明が解決しようとする課題】
【０００６】
したがって、本発明の目的は、高い感度で動作させることができ、かつ、変調信号中の変調データ若しくはコマンドの転送速度に応じて容易に構成することができ、上に言及した技術の欠点を克服することもできるＦＳＫ変調信号受信機を提供することである。
【課題を解決するための手段】
【０００７】
したがって、本発明は、
「ＦＳＫ変調信号のための受信機（１）であって、低電力の前記受信機が、
変調データ若しくは制御の信号を受信するアンテナ（２）と、
前記アンテナによってピック・アップされた前記信号を増幅し且つフィルタリングするための少なくとも１つの低雑音増幅器（３）と、
水晶共振器を含む局部発振器（６）であって、高周波信号（ＳI、ＳQ）を供給する電圧制御発振器（１１）を、位相および周波数ロックループ中に備える局部発振器（６）と、
フィルタリングされ且つ増幅されて入力される信号と、前記電圧制御発振器によって供給される前記高周波信号とを混合して、中間信号（Ｉm、Ｑm）を生成する少なくとも１つのミキサ・ユニット（４、５）であって、前記中間信号（Ｉm、Ｑm）の周波数が前記高周波信号の周波数と前記入力される信号の搬送周波数との差に等しい少なくとも１つのミキサ・ユニット（４、５）と、
少なくとも１つのデータまたは制御復調段のための、前記中間信号をフィルタリングするフィルタリング・ユニット（１２）と
を備える受信機（１）において、
変調データ若しくは制御の信号を中間若しくは高転送速度で受信するように、または、変調データ若しくは制御の信号を低転送速度で受信するように、構成でき、そして、前記フィルタリング・ユニットが、多相フィルタ（１３）においてフィルタリングされた中間信号（ＩF、ＱF）を、中間若しくは高転送速度モードで第１の復調段に供給し、または、少なくとも１つの低域通過フィルタ（１４、１５）に転換される前記多相フィルタにおいてフィルタリングされた中間ベースバンド信号を、低転送速度モードで第２の復調段に供給する
ことを特徴とする受信機」
に関している。
【０００８】
この受信機の特定の実施形態は、従属請求項２から７の中で定義されている。
【０００９】
本発明によるＦＳＫ変調信号受信機の利点の１つは、変調データ若しくはコマンドを中間若しくは高転送速度モードで受信でき、且つ、変調データ若しくはコマンドを低転送速度モードで受信できるように、ＦＳＫ変調信号受信機を構成することができることである。受信機の感度が高いと、コマンドおよびデータの復調操作が容易となるので、受信機は低転送速度のモードに構成されることが好ましい。これを達成するために、フィルタリング・ユニットは、中間若しくは高転送速度の第１の復調段のための多相フィルタの中で中間信号をフィルタリングするように動作し、または、低転送速度の第２の復調段のための多相フィルタ内の２つの非結合低域通過フィルタの中でベースバンド中の中間信号をフィルタリングするように動作している。
【００１０】
有利には、低転送速度モードでは、アンテナによってピック・アップされた信号は、ミキサによって直接中間ベースバンド信号に変換される。これにより、周波数偏移周波数を中心とする狭帯域帯域通過フィルタの後段の単純なＤフリップ−フロップを使用して復調を実施することができるため、低転送速度モードにおけるデータ若しくはコマンドの復調が単純化される。
【００１１】
ＦＳＫ変調信号受信機の目的、利点および特徴は、図面に示されている少なくとも１つの非制限実施形態に基づく以下の説明からより明確になる。
【図面の簡単な説明】
【００１２】
【図１】本発明によるＦＳＫ変調信号受信機の一実施形態を簡単に示す図である。
【発明を実施するための形態】
【００１３】
以下の説明においては、当業者によく知られている、周波数変調（ＦＳＫ）信号受信機のすべてのこれらのコンポーネントは、単に単純化された方法で説明されているにすぎない。前記ＦＳＫ変調信号受信機は、例えば、車両のための遠隔制御システムあるいは計数システムに有利に使用することができる。
【００１４】
図１に示されているＦＳＫ変調信号受信機１は、１００ｋビット／ｓ以上の中間若しくは高転送速度のデータ若しくはコマンド受信モードか、又は、有利には感度が高い、低転送速度のデータ若しくはコマンド受信モードで、動作するように構成することができる。変調コマンド若しくはデータの低転送速度が１０ｋビット／ｓ未満、例えば１ｋビット／ｓ近辺である好ましい構成では、入力信号の電力は、通常、信号搬送周波数ｆ0に対して（正および負の）変調周波数偏移Δｆレベルに集中している。通常、入力信号周波数変調の場合、搬送周波数ｆ0を変調周波数偏移Δｆに加えることによって「１」変調状態が規定され、それによりｆ0＋Δｆが与えられ、一方、搬送周波数ｆ0から変調周波数偏移Δｆを控除することによって「０」変調状態が規定され、それによりｆ0−Δｆが与えられる。当然、ｆ0＋Δｆおよびｆ0−Δｆにおけるデータ変調が好ましいが、搬送周波数ｆ0としての「０」変調状態の規定を仮定することも可能である。
【００１５】
ＦＳＫ変調信号受信機１は、短距離ＲＦ信号を受信するためのアンテナ２を備えており、短距離ＲＦ信号の搬送周波数は３００ＭＨｚ以上であってもよい。アンテナ２によってピック・アップされたＦＳＫ変調ＲＦ信号は、低雑音増幅器ＬＮＡ３の中で増幅される。この低雑音増幅器ＬＮＡ３は、図には示されていないが、帯域通過フィルタを備えることも可能である。増幅され、かつ、フィルタリングされたＲＦ信号は、第１のミキサ４の中で、局部発振器６によって供給される同相信号ＳIによって周波数変換され、それにより中間同相信号Ｉmが提供される。また、これらのＲＦ信号は、第２のミキサ５の中で、局部発振器６によって供給される直角位相信号ＳQによって周波数変換され、それにより中間直角位相信号Ｑmが提供される。第１のミキサ４および第２のミキサ５は、受信機のミキサ・ユニットの一部を形成している。
【００１６】
ＦＳＫ変調信号受信機１は、受信機コンポーネントのほとんどが統合されている集積回路を備えている。この集積回路は、例えば０．１８μｍＣＭＯＳ技術を使用して製造することができる。
【００１７】
ＦＳＫ変調信号受信機は、さらに、ミキサ４および５の後段に、多相フィルタ・ユニット１２を備え、その多相フィルタ・ユニット１２は、低転送速度モードにおいて中間信号をフィルタリングする低域通過フィルタ１４および１５の形態に構成されるか、または、中間若しくは高転送速度モードにおいて中間信号をフィルタリングする多相フィルタ若しくは帯域通過フィルタ１３の形態に構成される。受信機１は、フィルタリング・ユニット１２の後段に、中間若しくは高転送速度モードにおいてフィルタリングされた中間信号を受け取る、中間若しくは高転送速度の第１の復調段、および低転送速度モードにおいてフィルタリングされた中間信号を受け取る、低転送速度の第２の復調段を備えている。
【００１８】
第２の復調段に、受信機１は、２つの狭帯域帯域通過フィルタ２４および２５を備えている。これらの帯域通過フィルタは、その中心が変調周波数に置かれており、低転送速度モードにおいてフィルタリングされた中間信号ＩFおよびＱFをフィルタリングするために、とりわけ＋Δｆおよび−Δｆ周波数偏移の近辺に中心が置かれている。帯域通過フィルタ２４および２５の後段には、データ若しくはコマンドを復調するためのＤフリップ−フロップ２６、低域通過フィルタ２７、およびデータ若しくはコマンドＤOUTを供給するためのデータ抽出器２８が存在している。
第１の復調段に、受信機１は、中間若しくは高転送速度モードを選択している間、フィルタリングされた中間信号ＩFおよびＱFの中に含まれているデータ若しくはコマンドのための復調器２０を備えており、また、復調器２０の後段に、低域通過フィルタ２１、およびデータ若しくはコマンドＤOUTを供給するためのデータ抽出器２２を備えている。
【００１９】
中間若しくは高転送速度モードが選択されると、中間周波数変換信号ＩmおよびＱmは、例えば１ＭＨｚ程度であり得る周波数を維持し、かつ、変換された１ＭＨｚの搬送周波数に対して２５０ｋＨｚ程度以下であり得る変調周波数偏移＋Δｆを維持する。しかしながら、低転送速度受信モードでは、中間信号ＩmおよびＱmは、入力信号の電力が個々の変調周波数偏移Δｆレベルに集中している場合、０Ｈｚのベースバンドに直接変換される。当然、有用な信号およびノイズからの大量のエネルギーが周波数帯域幅全体にわたって存在するため、一般的には、周波数をベースバンドに直接変換してＦＳＫ変調信号を中間若しくは高転送速度で受信することを想定することはできない。直接ベースバンド変換が０Ｈｚで実行されると、データ損失が観察されよう。
【００２０】
受信機の局部発振器６は、主として、電圧制御発振器ＶＣＯ１１を備える位相および周波数ロックループを備えている。電圧制御発振器ＶＣＯは、２つの高周波同相信号および直角位相信号ＳIおよびＳQが提供されるよう、差動タイプの発振器であってもよい。これらの同相信号および直角位相信号は、位相および周波数ロックループにおいて多モード分割器８に供給される。分割器８からの分割された周波数が位相および周波数検出器９の中で水晶発振器７から出力される基準周波数Ｆｒｅｆと比較される。知られている方法で電圧制御発振器ＶＣＯを制御する前に、位相および周波数検出器９からの出力信号が低域通過フィルタ１０の中でフィルタリングされる。
【００２１】
局部発振器６が正確な水晶共振器７を備えている場合、一般的には１０ｋビット／ｓ未満の低転送速度モード（１ｋビット／ｓ）における感度が高いＦＳＫ変調信号受信機を作ることができる。この転送速度の場合、入力信号中のすべての電力が、搬送周波数ｆ0に対して、周波数偏移レベルつまりｆ0＋Δｆおよびｆ0−Δｆに集中する。この動作モードの場合、正確な水晶が必要である。したがって、上で示したように、ＲＦ入力信号を周波数変換して、ベースバンド内に直接中間同相信号および直角位相信号ＩmおよびＱmを得ることができる。しかしながら、中間若しくは高転送速度ＦＳＫ変調信号受信機の場合、水晶共振器７は、雑音を有する入力信号の電力が受信機の帯域幅全体にわたって概ね同様であることを条件として、正確である必要はない。熱雑音は、帯域幅が広いほど大きくなるが、これは、しばしば、ＦＳＫ変調入力信号からのデータを過剰な問題を伴うことなく復調するためには、帯域幅と熱雑音との間の良好な妥協を見出さなければならないことを意味している。
【００２２】
受信機１は、局部発振器６に供給される制御信号Ｃｍによって、周波数の変換のために、中間若しくは高転送速度のモード、または、低転送速度のモードに構成できる。電圧制御発振器ＶＣＯ１１は、この制御信号Ｃｍによって、中間若しくは高転送速度モードと低転送速度モードとの間で、異なる周波数を有する同相信号ＳIおよび直角位相信号ＳQを供給することができる。この制御信号Ｃｍは、多モード分割器８に対して、さらには水晶発振器７の基準周波数Ｆｒｅｆに対して作用できる。例えば低転送速度モードでは、同相信号ＳIおよび直角位相信号ＳQの正確な周波数は、アンテナ２によってピック・アップされるＲＦ信号の搬送周波数ｆ0と同じである。そのため、ＲＦ入力信号を第１のミキサ４および第２のミキサ５によって直接ベースバンドに変換することができる。しかしながら、中間若しくは高転送速度モードでは、同相信号ＳIおよび直角位相信号ＳQの周波数は、例えば、アンテナ２によってピック・アップされるＲＦ信号の搬送周波数ｆ0より１ＭＨｚ低い。これは、１ＭＨｚ近辺の周波数で中間信号ＩmおよびＱmを得ることができ、次にそれらを復調器２０の中で復調しなければならないことを意味している。
【００２３】
また、前記受信機の集積回路の製造ステップが完了すると、中間若しくは高転送速度モードあるいは低転送速度モードのいずれかで動作させることができるように受信機を構成し、あるいは設定することを想定することも可能である。したがって同じ集積回路を使用することにより、設定されている構成に応じて中間若しくは高転送速度モード、または、低転送速度モードで、ＦＳＫ変調信号受信機を使用することができる。
【００２４】
ＦＳＫ変調信号受信機１は、さらに、上で示したように、２つの中間信号ＩmおよびＱmをフィルタリングするフィルタリング・ユニット１２を備える。この多相フィルタリング・ユニット１２は、本質的に、結合された２つの低域通過フィルタ１４および１５で形成された多相フィルタ１３を備えており、第１の低域通過フィルタ１４は中間同相信号Ｉmを受け、一方、第２の低域通過フィルタ１５は中間直角位相信号Ｑmを受け取る。中間若しくは高転送速度モードが選択されると、スイッチ・エレメント１８を閉にする制御信号Ｃｆによって制御されるスイッチ・エレメント１８を介して２つの低域通過フィルタ１４および１５が結合されると、多相フィルタ１３は、中間信号搬送周波数近辺で帯域通過フィルタリングを実行することができる。この帯域通過フィルタリングの遮断周波数は、選択される変調周波数偏移（Δｆ）に応じて、例えば１ＭＨｚ近辺の中心周波数から、例えば約４５０ｋＨｚに規定することができる。この多相フィルタは、フィルタリングされた中間同相ＩF信号および直角位相ＱF信号を生成するための周波数偏移低域通過フィルタと見ることができる。
【００２５】
スイッチ・エレメント１８を介した２つの低域通過フィルタ１４および１５の結合は、スイッチ・エレメント１８の代わりに「ジャイレータ」によって規定することも可能であることに留意されたい。しかしながら、これらの２つの低域通過フィルタ間の前記結合は、従来のスイッチ・エレメントを介して達成されることが好ましい。
【００２６】
中間若しくは高転送速度モードでは、フィルタリングされた中間信号ＩFおよびＱFは、制御信号Ｃｆによって制御される２つのスイッチ１６および１７を介して中間若しくは高転送速度の第１の復調段の復調器２０に供給される。知られている構造を有しているこの復調器２０は、中間若しくは高転送速度モードのフィルタリングされた中間信号ＩFおよびＱFを復調する。復調器２０の後段は、復調器２０によって供給されるデータまたは制御信号からすべての漂遊周波数を除去するための低域通過フィルタ２１である。この低域通過フィルタの遮断周波数は、変調信号転送速度に応じて調整することができる。最後に、データまたは制御信号ＤOUTを供給するためのよく知られているデータ抽出器が低域通過フィルタの出力に接続されている。
【００２７】
低転送速度モードでは、多相フィルタ１３は、制御信号Ｃｆによって制御される開状態のスイッチ・エレメント１８を介して結合が解除される従来の低域通過フィルタ１４および１５に転換されていることが好ましい。したがってベースバンド中に存在している中間同相信号Ｉmが第１の低域通過フィルタ１４によってフィルタリングされ、それによりフィルタリングされた中間同相信号ＩFが低転送速度の第２の復調段の第１の帯域通過フィルタ２４に供給される。この第１の帯域通過フィルタ２４は、その中心がそれぞれ周波数偏移Δｆまたは−Δｆに置かれた狭帯域を有している。−Δｆ周波数偏移は、単に反転位相Δｆ周波数偏移にすぎず、以下で説明するように、単純なＤフリップ−フロップ２６を介した復調を容易にしている。ベースバンド中に存在している中間直角位相信号Ｑmは、第２の低域通過フィルタ１５によってフィルタリングされ、それによりフィルタリングされた直角位相中間信号ＱFが第２の帯域通過フィルタ２５に供給される。この第２の帯域通過フィルタも、その中心がそれぞれ周波数偏移Δｆまたは−Δｆに置かれた狭帯域を有している。フィルタリングされた中間信号ＩFおよびＱFは、それぞれ低転送速度モードにおいて制御信号Ｃｆによって制御される対応するスイッチ１６および１７を介して、それぞれ第１の帯域通過フィルタ２４および第２の帯域通過フィルタ２５に供給される。
【００２８】
第１の帯域通過フィルタ２４によって供給される中間同相データ信号ＩDは、Ｄフリップ−フロップ２６のＤ入力に接続されており、一方、第２の帯域通過フィルタ２５によって供給される中間直角位相データ信号ＱDは、前記フリップ−フロップ２６のクロック入力ＣＬＫに接続されている。このようにして、単純にこのＤフリップ−フロップ２６を使用することにより、中間ベースバンド信号からのデータ若しくはコマンドを容易に復調することができる。当然、中間直角位相データ信号を前記フリップ−フロップのＤ入力に供給し、かつ、中間同相データ信号をクロック入力ＣＬＫに供給することを想定することは可能であった。最後に、前記フリップ−フロップ２６のＱ出力の信号も、データまたは制御信号ＤOUTを供給するためのデータ抽出器２８への入力に先立って、変調信号転送速度に応じて調整された低遮断周波数を有する低域通過フィルタ２７によってフィルタリングされる。
【００２９】
以上から、従来技術による受信機と比較した場合のこのＦＳＫ変調信号受信機の主な改善は、低転送速度モードにおいてデータまたは制御信号を受信するように構成される場合、高い感度および容易な復調が容易に提供されることであることは明らかである。データ信号の電力は、主として変調周波数偏移レベルに集中しているため、狭帯域通過フィルタを使用してベースバンド中の中間信号をフィルタリングし、それによりデータの復調を容易にすることができる。
【００３０】
以上の説明から、当業者は、特許請求の範囲に定義されている本発明の範囲を逸脱することなく、ＦＳＫ変調信号受信機の複数の変形形態を成すことが可能である。同様に、同じアンテナによって、中間若しくは高転送速度モードまたは低転送速度モードで変調データ信号を送信することができるように受信機を構成することも可能であった。
【符号の説明】
【００３１】
１  ＦＳＫ変調信号受信機；  ２  アンテナ；  ３  低雑音増幅器ＬＮＡ；  
４  第１のミキサ；  ５  第２のミキサ；  ６  局部発振器；  
７  水晶発振器；  ８  多モード分割器；  ９  位相および周波数検出器；  
１０、１４、１５、２１、２７  低域通過フィルタ；  １１  電圧制御発振器ＶＣＯ；  
１２  多相フィルタ・ユニット；  １３  多相フィルタまたは帯域通過フィルタ；  
１６、１７  スイッチ；  １８  スイッチ・エレメント；  ２０  復調器；  
２２、２８  データ抽出器；  ２４、２５  狭帯域帯域通過フィルタ；  
２６  Ｄフリップ−フロップ。
【図１】
2010246123.tif 000003